【事件の表示】
　平成　６年特許願第２６４２８８号「開放形磁気共鳴イメージングシステム」拒絶査定不服審判事件〔平成　７年　８月１５日出願公開、特開平　７−２１３５０７〕について、次のとおり審決する。
【結　論】
　本件審判の請求は、成り立たない。
【理　由】
第１　手続の経緯 
　本願は、平成６年１０月２８日（パリ条約による優先権主張１９９３年１１月２日、アメリカ合衆国）にされた特許出願（平成６年特許願２６４２８８号。以下「本件出願」という。）につき、平成１６年８月１６日付けで拒絶査定がなされ、同月２４日に発送されたところ、拒絶査定に対する審判が同年１１月２２日に請求されたものである。
　　　　　　　　　　　　　　　　
第２　本件出願に係る発明
　本件出願の請求項１〜６に係る発明は、平成１５年３月１０日付け手続補正書及び平成１６年７月２０日付け手続補正書により補正された明細書及び図面の記載からみて、特許請求の範囲の請求項１〜６記載されたとおりのものであって、その請求項１に係る発明（以下、「本願発明」という。）は次のとおりのものと認める。
　　　　　　　　 
【請求項１】「 イメージング対象の患者に接近できるようにする開放形磁気共鳴イメージングシステムに於いて、
（ａ）主磁石の外側の医師が接近できるイメージング容積を有し、該イメージング容積の中に配置されたイメージングしたい上記患者の所望の領域に静磁界を作成するための開放形主磁石、
（ｂ）上記イメージング容積に接近できるようにする開放形勾配コイルであって、付勢されたとき上記イメージング容積の中の上記患者の所望の領域に磁界勾配を作成するための開放形勾配コイル、
（ｃ）上記勾配コイルを付勢するために上記勾配コイルに結合された勾配増幅器、
（ｄ）上記イメージング容積に接近できるようにする開放形ＲＦコイルであって、付勢されたとき上記患者にＲＦ（無線周波）放射を送り込むことにより上記患者の所望の領域内の核スピンを章動させるためのＲＦコイル、
（ｅ）上記ＲＦコイルを付勢するために上記ＲＦコイルに結合されたＲＦ送信器、
（ｆ）上記医師の操作に応答して、画像を取得すべき上記所望の領域内のイメージング平面の方向と位置を指定する指示装置、
（ｇ）所定のシーケンスで上記勾配増幅器および上記ＲＦ送信器を付勢し、イメージング平面の核スピンからＭＲ応答信号を放出させるために上記勾配増幅器および上記ＲＦ送信器に結合されたパルスシーケンサ、
（ｈ）上記指示装置及び、上記パルスシーケンサに結合された汎用コンピュータであって、上記パルスシーケンサに命じて必要な上記勾配増幅器および上記ＲＦ送信器を、上記指示装置が規定する位置および方向の上記イメージング平面が実現するタイミングで作動させる汎用コンピュータ、
（ｉ）上記患者の所望のイメージング平面内の核スピンから複数のＭＲ応答信号を受けるための受信器、
（ｊ）上記受信機に接続し、受信した上記ＭＲ応答信号から画像信号を演算するための再構成ユニット、および
（ｋ）上記再構成ユニットに接続し、上記画像信号から画像を表示するための表示手段を含むことを特徴とする開放形磁気共鳴イメージングシステム。」
 　 
第３　引用刊行物に記載された発明 
　原査定の拒絶の理由に引用された特開平４−３１２４４６号公報（以下、「引用刊行物Ａ」という。）には、 
（Ａ−１）「【特許請求の範囲】
【請求項１】　磁気共鳴画像化システムにおいて、ＭＲＩ磁石とこれに関係するＲＦコイル、傾斜磁場コイル、患者移動装置、及びＭＲＩモニタであって、これらはシールドされた同一のガントリー室内に全て配置され、前記傾斜磁場コイルとＲＦコイル及びモニタに接続されるＭＲＩ制御システムであって、この制御システムはリアルタイムでＭＲＩを連続的に動作するように工夫され、前記磁石内側に配置される患者の画像化領域を自動的、連続的に更新する画像シーケンスを、前記ガントリー室内のモニタに提供し、具備することを特徴とする磁気共鳴画像化システム。」、
（Ａ−２）「【０００１】
【産業上の利用分野】この発明は核磁気共鳴（ＮＭＲ）現象を利用する磁気共鳴画像化（ＭＲＩ）及び（又は）それと同様な画像化処理に関する。特に、この発明はモニタ(monitor) と共に使用される連続”リアルタイム”ＭＲＩに関している。このモニタは、ＭＲＩ磁石、画像化される患者、その処理に参加する医者、及びその他の者と一緒に、シールドされた同一のガントリー室内に同時配置される。」こと、
（Ａ−３）「【０００６】
【発明が解決しようとする課題】これまで、その様な高速シーケンスは、強磁場ＭＲＩ磁石システム・・・を用いて導入されることが多い。ここでは、リアルタイム画像化スクリーンは、ガントリー(gantry)室の外側に配置される（例えば、強力磁場による悪影響から一般的なＣＲＴを放しておく）。従って、従来の高速ＭＲＩ処理は有益な多くの目標を既に達成しているが、ガントリー室内にいる人（即ち、患者と患者に関係する人）が、ＭＲ画像をリアルタイムで見ることはできない。
【０００７】一般的な弱磁場ＭＲシステムの一つは（ディスプレイを含め）操作コンソール全体をガントリー室の中に含んだ・・・
・・・
【００１１】
【課題を解決するための手段と作用】
　この発明によれば、モニタ画像はガントリー室内に設けられ、連続的に更新されるリアルタイムＭＲ画像を見るために、その部屋の内部で使用される。好適に、その画像更新は、オペレータが処理の開始をトリガーした後、オペレータが介在することなく自動的に連続する。これによりオペレータ（医師、放射線技師、看護婦など）はガントリー室内の患者に対する仕事に専念できる。・・・
【００１２】つまり、この発明により、医師又はオペレータ又は患者は、ガントリー室内にいることができる一方、高速に更新されるＭＲ画像化領域のリアルタイム画像を見ることができる。このような画像は最近の高品質ＭＲＩを使用しながら患者の位置を設定するときに、又は患者に措置を施すとき、又は非常に多くの有用な目的に利用できる。更に、これらの利点は、従来の高速スキャン画像データ獲得、処理及び表示手順の介在なしに、処理が一度開始されただけで得られる。」こと、
（Ａ−４）「【００１３】
【実施例】図１に示すように、ガントリー室１０には、導電性の接地されたスクリーン１２が設けられ、これは静止ＭＲＩ背面磁石１４を含む。この磁石１４は患者の画像化領域１６に対する必要条件として背面の静止磁場Ｂ0 を発生し、磁気共鳴画像化処理を行う。図１に一例として示される”開放アクセス(open access) ”弱磁場永久磁石アッセンブリ１４は、上部及び下部磁極１８及び２０、及び適当な傾斜磁場コイル（磁極に隣接している）を含み、静止磁場Ｂ０内にパルス状傾斜磁場Ｇｘ，Ｇｙ及びＧｚを発生し、これらは一般的な３次元座標軸ｘ，ｙ，ｚに平行である。当業者に一般に知れれるように、ＲＦコイル２２も又含まれ、患者の画像化領域１６（それらと共に位置する）にＲＦ結合される。
【００１４】少なくとも傾斜磁場コイル及びＲＦコイルは、従来のケーブ２７を介してＭＲＩ制御システム２４に結合される。一般に、殆どのコンピュータ、傾斜磁場駆動アンプなどは、ガントリー室１０に隣接する分離したコンピュータ室に配置される。このようなシステムは又、シリコン又は磁力媒体プログラム格納部２６を含む。図１の実施例で、このような格納部２６は、開始をトリガーするオペレータによるコマンドの直後に、連続リアルタイムＭＲＩ処理を行うことができる。オペレータのコンソールはコンピュータ室１１の中に配置できるが、図１の実施例では少なくとも一つのディスプレイ３０がガントリー室１０の中、及び少なくとも一人のオペレータ／出席者／医師３２の視野５０内に配置される。・・・」こと、
（Ａ−５）「【００１６】高速スキャンＭＲＩの好適実施例は、・・・弱磁場での超高速ＭＲＩプロトコルに使用するシステムである。そのシステム設計により、背面の未処理データを獲得できる一方、再構成及び表示ステップは、できるかぎり高速に前面で繰り返される。・・・魅力的用途の一つは、”リアルタイム”ロケータースキャン(locator scan)である。９ミリ秒のエコー遅延（ＴＥ）で、１エコーあたり２０ミリ秒（ＴＲ）のレートで未処理データを収集することにより、１２８＊６４画像に対する完全データサイクルは１．２８秒である。しかしそのデータの半分を１ビットでも超えてがデータが再構成に組み込まれると、画像は完全に現れる。この一組のパラメータを使用して、完了された未処理データサイクルあたり、約２回ペイントするための再構成／表示ループのレートが決定される。
・・・
【００２０】高速走査シーケンスのとき、新しい追加データが再構成バッファに追加される一方、前のバッファ内容は再構成され、現在のディスプレイに入力される。獲得、再構成、及び表示は、”連続的”に継続する（即ち繰り返される）。それにより、再構成及び表示に関して時間のみに依存する見掛上のフレームレートが存在する。このレートは完全な走査シーケンスより一般に高速である。達成できる処理速度は、望ましい使用法にある程度依存する。更に詳細な使用例が以下に説明される。
【００２１】画像化システム・・・はμＶＡＸ　ＩＩコンピュータ・・・ により制御される。計算は・・・ アレイプロセッサ・・・に従って行われる。このシステムは、未処理データを２メガバイトのアレイプロセッサ(A.P.)メモリに直接格納できる。これにより、２５６＊２５６画素の画像を３つまで格納できる。Ｎro＊Ｎpe　２ＤＦＴ再構成が、第１の未処理データが到達された直後に開始される。リードアウト（ＲＯ）方向フーリエ変換（ＦＴ）が一度だけ実行される。位相エンコード（ＰＥ）方向ＦＴが、そのスライスに関するデータバッファ内の最後のＮpeライン上で行われる。データサブシーケンスの次に、システム信号はリードアウトＦＴを平均する。Ａ．Ｐ．メモリは拡大・縮小され、表示ボードメモリに書き込まれなければならない。
・・・
【００２６】従って、磁気共鳴画像化システムのこの一例は、その傾斜磁場コイル、ＲＦコイルを有するＭＲＩ磁石、患者移動部、及びＭＲＩ表示モニタを含み、それらはシールドされた同一のガントリー室１０内に全て配置される。又このシステムは、傾斜磁場コイル及びＲＦコイル、及びコンソールに接続されるＭＲＩ制御システムを含み、リアルタイムで連続的にＭＲＩを実行し、そしてガントリー室内に配置されるスクリーン上の磁石アッセンブリ内側に位置する患者の画像化領域を自動連続更新する画像シーケンスを提供する。」ことが記載されている。
（Ａ−６）また、図１には、磁極１８、２０間に静磁場Ｂ0が発生し、さらにオペレータ、出席者、医師３２の少なくとも一人が開放アクセス構造の弱磁場永久磁石１４に近づいて開放アクセス構造の弱磁場永久磁石アセンブリ１４内の患者に処置をしていること、及びＲＦコイル２２が弱磁場永久磁石アセンブリ１４内に配置されることが描かれている。
（Ａ−７）さらに、図１及び図２には、弱磁場永久磁石アセンブリ１４内の患者が弱磁場永久磁石アセンブリ１４外のディスプレイ３０を見ることが可能であることが描かれている。　　
　上記（Ａ−１）〜（Ａ−７）の記載を参照すると、上記引用刊行物Ａには、
「医師などのオペレータが開放アクセス構造の弱磁場永久磁石アセンブリ１４内の患者に近づいて処置ができる磁気共鳴画像化システムにおいて、
　患者の画像化領域１６の上部及び下部に配置される磁極１８、２０と、磁極１８、２０に隣接し、静磁場Ｂ0内にパルス状傾斜磁場Ｇx、Ｇy、Ｇzを発生するする傾斜磁場コイルと、患者の画像化領域１６に結合されるＲＦコイル２２とを含む開放アクセス構造の弱磁場永久磁石アセンブリ１４と、
　傾斜磁場駆動アンプと、
　傾斜磁場コイル、ＲＦコイル２２及びモニタと結合するＭＲＩ制御システム２４と、
　ＭＲＩ制御システム２４と接続され、医師などのオペレータが操作するコンソールと、
　データが組み込まれる再構成バッファと、
　再構成バッファからの画像を表示するモニタ３０とを備えた磁気共鳴画像化システム。」の発明（以下、「引用発明」という。）が記載されている。
　また、原査定の拒絶の理由に引用された特開平４−７１５３５号公報（以下、「引用刊行物Ｂ」という。）には、
（Ｂ−１）「（産業上の利用分野）
　本発明は、磁気共鳴映像装置に係り、特に実時間的に被検体の任意の断面または領域を選択的に映像化するために、勾配磁場の強度と高周波磁場の周波数を、対話的操作で連続的に制御し得る磁気共鳴映像装置に関する。」（２頁左下欄３〜８行）こと、
（Ｂ−２）「（実施例）
　第１図に本発明の一実施例に係る磁気共鳴映像装置の構成を示す。
　第１図において、静磁場磁石１および勾配磁場コイル３はシステムコントローラ９により制御される励磁用電源２および駆動回路４によってそれぞれ駆動され、被検体５（例えば人体）に対して一様な静磁場と勾配磁場とを印加する。上記勾配磁場は、注目する所望の断面（スライス面）内の直交するｒ、ｅの二方向、および該スライス面の法線方向ｓにそれぞれ空間的に磁場強度が漸次変化する磁場である。なお本実施例では、以後スライス面の法線方向に印加する勾配磁場をスライス用勾配磁場Ｇｓ、スライス面内の適宜なる方向に印加する勾配磁場をリード用勾配磁場Ｇｒ、これらスライス用勾配磁場Ｇｓとリード用勾配磁場Ｇｒとの両者に直角の方向に印加する勾配磁場を位相エンコード用勾配磁場Ｇｅとして説明する。
　被検体５には、さらに、システムコントローラ９の制御の下で、送信部７から出力される高周波信号によりプローブ６から発生される高周波磁場が印加される。本実施例においては、プローブ６を、高周波送信のための送信コイルと、被検体５内の各種の原子核に関する磁気共鳴信号を受信する受信コイルとに共用している。この場合には、プローブ６は、送信コイルと受信コイルとに共用される単一のコイル系により構成されるが、送信コイルと受信コイルとをそれぞれ別々に設けてもよい。
　プローブ６により受信される磁気共鳴信号、例えば磁気共鳴エコー信号は、受信部８で増幅され且つ検波された後、システムコントローラ９の制御の下でデータ収集部１０に送られる。データ収集部１０では、受信部８を介して取り出された磁気共鳴エコー信号をシステムコントローラ９の制御の下で収集し、それをＡ／Ｄ（アナログ−ディジタル）変換した後、データ処理部１１に送る。
　データ処理部１１は、電子計算機１２により制御され、データ収集部１０から与えられる磁気共鳴エコー信号に、フーリエ変換による画像再構成処理を施し、画像データを得る。また、電子計算機１２は、システムコントローラ９の制御をも行う。データ処理部１１によって得られる画像データは画像デイスプレィ１４に供給され画像表示される。電子計算機１２および画像デイスプレィ１４の動作は、コンソール１３の操作により制御される。また、コンソール１３は、映像化しようとするスライス面および領域を決定するための入力手段を有する。」（４頁左下欄１５行〜右下欄３行）こと、
（Ｂ−３）「位置や角度の各自由度の入力は、第２図に示すように、コンソール１３に付加されたトラックボール２１，２２、スライダ２３，２４，２５などのポインティングデバイスで行う。この場合、７つの自由度全てに１つづつ個別の入力手段を用意してもよいし、第２図に示す平行移動／回転の切換スイッチ２６のように適宜なる切換機能手段を設けることで１つの入力手段により複数の自由度の設定を行なうようにしてもよい。操作者は、これら入力手段の操作により被検体の映像化しようとするスライス面および領域を設定することが可能である。
　また、設定された被検体の映像化しようとするスライス面および領域のｘｙｚ座標に対する極空間角を示す像を、例えば、被検体の画像化領域の線画もしくは磁気共鳴映像装置（ＭＲＩ）、コンピュータ断層装置（ＣＴ装置）等により得られた画像に重ね合わせて連続的に表示する表示装置を用意することにより、操作者が任意のスライス面および領域を連続的且つ対話的に選択することが容易となる。
　この装置において、被検体５内のスライス面の画像データを収集するためのパルスシーケンスとしては例えば第７図に示すようなシーケンスが用いられる。このパルスシーケンスはシステムコントローラ９によって制御される。基本的にはこのシーケンスを用いることで映像化のためのデータ収集が可能である。
　すなわち、最初に被検体５内の注目するスライス内の磁化を選択的に励起するために、被検体に、スライス用勾配磁場Ｇｓを印加するとともに高周波磁場ＲＦとして９０°選択励起用高周波パルス（所定のスライス領域の磁化のみを９０°回転させるための高周波パルス）を印加することにより、被検体５内の特定のスライスを選択的に励起する。なお、スライス用勾配磁場Ｇｓは、９０°選択励起用高周波パルスの印加後、磁化の位相を揃えるために反転される。次に、静磁場の空間的不均一性による影響を打ち消すため、１８０゜高周波パルスを印加する。この際勾配磁場は印加しない。さらに、第７図に示すように、スライス用勾配磁場の方向１例えばｚ方向、と直交するｘｙ平面の一方向、例えばＸ方向にリード用勾配磁場Ｇｒを交互に正負反転するようにスイッチングさせて繰り返し印加するとともに、ｘｙ平面の他の一方向、例えばｙ方向に位相エンコード用勾配磁場Ｇｅを上記反転スイッチング期間に同期的にパルス状に印加する。これにより、上記反転スイッチング毎に、被検体５内から磁気共鳴信号、すなわち磁気共鳴エコー信号Ｓｉｇ．が得られる。これらエコー信号の列を磁気共鳴データとして収集し、フーリエ変換して画像再構成を行うことにより、上記スライスの画像データが生成される。」（５頁左下欄１５行〜６頁右上欄７行）こと、
（Ｂ−４）「【図面の簡単な説明】
・・・
４・・・勾配コイル用電源」（８頁右上欄４〜１６行）が記載されている。
（Ｂ−５）また、図７にはプローブ６からの高周波パルスＲＦ、勾配磁場コイルからの勾配磁場パルスＧs、Ｇr、Ｇeがシーケンスで出力されることが描かれている。
　上記（Ｂ−１）〜（Ｂ−５）の記載を参照すると、上記引用刊行物Ｂには、
「被検体５（例えば人体）人の断面又は領域を選択的に映像化するための磁気共鳴映像装置において、
　静磁場磁石１と、
　勾配磁場Ｇs、Ｇr、Ｇeを印加する勾配磁場コイル３と、
　勾配磁場コイル３を駆動する勾配コイル用電源（駆動回路）４と、
　高周波磁場ＲＦとして高周波パルスを送信する送信コイルと、被検体５内の原子核に関する磁気共鳴エコー信号を受信する受信コイルとを有するプローブ６と、
　プローブ６に高周波パルスを送信する送信部７と、
　操作者が操作することにより、映像化しようとするスライス面と領域を決定するための位置や角度を入力するためのトラックボール２１，２２、スライダ２３〜２５を有するコンソール１３と、
　静磁場磁石１を駆動する励磁用電源２、受信部８、データ収集部１０及びデータ処理部を制御するとともに、被検体５内のスライス面内の磁化を選択的に励起して受信コイルから磁気共鳴エコー信号を受信するために、パルスシーケンスで勾配コイル用電源（駆動回路）４と送信部７とを制御し、プローブ６、勾配磁場コイル３からパルスをシーケンスで出力させるシステムコントローラ９と、
　コンソール１３の制御によって動作が制御されるとともに、コンソール１３で決定された映像化しようとするスライス面内から磁気共鳴エコー信号を受信するために、システムコントローラ９にパルスシーケンスで勾配コイル用電源（駆動回路）４と送信部７とを制御させる電子計算機１２と、
　受信コイルにより受信される被検体５のスライス面からの原子核に関する磁気共鳴エコー信号を増幅する受信部８と、
　受信部８からの磁気共鳴エコー信号をデータ収集部１０で収集し、収集された磁気共鳴エコー信号をフーリエ変換されるデータ処理部１１と、
　データ処理部１からの画像データを画像表示するための画像ディスプレイ１４とを含む磁気共鳴映像装置。」の発明（以下、「引用刊行物Ｂに記載された発明」という。）が記載されている。
　　　　　　　　　　　　　
第４　対比・判断 
（４ａ−１）本願発明と引用発明とを対比する。 
　（i）　引用発明の「磁気共鳴画像化システム」は、医師などのオペレータが開放アクセス構造の弱磁場永久磁石アセンブリ１４内の患者に近づいて処置ができるから、引用発明の「磁気共鳴画像化システム」が、本願発明の「開放形磁気共鳴イメージングシステム」に相当し、本願発明の「開放形磁気共鳴イメージングシステム」と同様に「イメージング対象の患者に接近できるようにする」ものである。
　（ii）　引用発明の「画像化領域１６」が本願発明の「イメージング容積」に相当する。さらに、上記引用刊行物Ａの（Ａ−３）に「この磁石１４は患者の画像化領域１６に対する必要条件として背面の静止磁場Ｂ0 を発生し、磁気共鳴画像化処理を行う。図１に一例として示される”開放アクセス(open access) ”弱磁場永久磁石アッセンブリ１４は、上部及び下部磁極１８及び２０、及び適当な傾斜磁場コイル（磁極に隣接している）を含み」と記載されているから、引用発明の「開放アクセス構造の弱磁場永久磁石アセンブリ１４」と「磁極１８、２０」が本願発明の「イメージング容積の中に配置されたイメージングしたい上記患者の所望の領域に静磁界を作成するための開放形主磁石」に相当し、引用発明の「開放アクセス構造の弱磁場永久磁石アセンブリ１４」と「磁極１８、２０」は、医師などのオペレータが開放アクセス構造の弱磁場永久磁石アセンブリ１４内の患者に近づいて処置ができるから、本願発明の「開放形主磁石」と同様に「主磁石の外側の医者を含むオペレータが開放アクセス構造の弱磁場永久磁石アセンブリ１４内の患者に近づいて処置ができる医師が接近できるイメージング容積を有」するものである。
　（iii）　引用発明の「傾斜磁場コイル」は磁極１８、２０に隣接するとともに弱磁場永久磁石アセンブリ１４に含まれ、さらに、医師などのオペレータが開放アクセス構造の弱磁場永久磁石アセンブリ１４内の患者に近づいて処置ができるものであるから、引用発明の「傾斜磁場コイル」は、本願発明の「開放形勾配コイル」に相当するとともに、本願発明の「開放形勾配コイル」と同様に、「上記イメージング容積に接近できるようにする開放形勾配コイルであって、付勢されたとき上記イメージング容積の中の上記患者の所望の領域に磁界勾配を作成する」ものである。
　（iv）　引用発明の「傾斜磁場駆動アンプ」は、本願発明の「勾配増幅器」に相当し、本願発明の「勾配増幅器」と同様に、「上記勾配コイルを付勢するために上記勾配コイルに結合され」ることは明らかである。
　（v）　引用発明の「ＲＦコイル２２」は、本願発明の「ＲＦコイル」に相当する。また、上記引用刊行物Ａの（Ａ−６）及び（Ａ−７）には、「オペレータ、出席者、医師３２の少なくとも一人が開放アクセス構造の弱磁場永久磁石１４に近づいて開放アクセス構造の弱磁場永久磁石アセンブリ１４内の患者に処置をしている」こと、「ＲＦコイル２２が弱磁場永久磁石アセンブリ１４内に配置される」こと、及び「弱磁場永久磁石アセンブリ１４内の患者が弱磁場永久磁石アセンブリ１４外のディスプレイ３０を見ることが可能である」ことが記載されているから、引用発明の「ＲＦコイル２２」と本願発明の「ＲＦコイル」とは、「上記イメージング容積に接近できるようにする勾配コイル」で共通するものである。そして、例えば特開平３−１９１９４７号公報の２頁左上欄１９行〜右上欄６行、４頁左下欄４〜８行に記載されているように、ＲＦコイルに供給されるパルスが核スピンを章動させるものであることは技術常識であるから、引用発明の「ＲＦコイル２２」も本願発明の「ＲＦコイル」と同様に「付勢されたとき上記患者にＲＦ（無線周波）放射を送り込むことにより上記患者の所望の領域内の核スピンを章動させる」ものである。
　（vi）　上記引用刊行物Ａには、磁気共鳴画像化システムにＲＦコイル２２のコイルを付勢するためのＲＦ送信器を設けることは記載されていないが、ＲＦコイル２２のコイルを付勢するためには、ＲＦコイルを付勢するためのＲＦ送信器が必要であることは自明であるから、引用発明の「磁気共鳴画像化システム」は本願発明の「開放形磁気共鳴イメージングシステム」と同様に「上記ＲＦコイルを付勢するために上記ＲＦコイルに結合されたＲＦ送信器」を有するものである。
　（vii）　上記引用刊行物Ａには、磁気共鳴画像化システムに患者の所望のイメージング平面内の核スピンから複数のＭＲ応答信号を受けるための受信器を設けることが記載されていないが、引用発明の磁気共鳴画像化システムは、ＲＦコイル２２から出力された信号のエコーのデータを受信してデータが再構成バッファに組み込まれることから、引用発明の磁化共鳴画像システムも、本願発明の「開放形磁気共鳴イメージングシステム」と同様に、患者の所望のイメージング平面内の核スピンから複数のＭＲ応答信号を受けるための受信器を有するものである。
　（viii）　引用発明の「再構成バッファ」は、ＲＦコイル２２から出力された信号のエコーのデータを受信したデータを組み込むことから、引用発明の「再構成バッファ」と本願発明の「再構成ユニット」とは、「上記受信機に接続し、受信した上記ＭＲ応答信号から画像信号を得る再構成ユニット」の点で共通するものである。
　（ix）　引用発明の「モニタ３０」は再構成バッファからの画像を表示する表示手段であるから、引用発明の「モニタ３０」は本願発明の「上記再構成ユニットに接続し、上記画像信号から画像を表示するための表示手段」に相当するものである。
　そうすると、本願発明と引用発明とは、
「 イメージング対象の患者に接近できるようにする開放形磁気共鳴イメージングシステムに於いて、
（ａ）主磁石の外側の医師が接近できるイメージング容積を有し、該イメージング容積の中に配置されたイメージングしたい上記患者の所望の領域に静磁界を作成するための開放形主磁石、
（ｂ）上記イメージング容積に接近できるようにする開放形勾配コイルであって、付勢されたとき上記イメージング容積の中の上記患者の所望の領域に磁界勾配を作成するための開放形勾配コイル、
（ｃ）上記勾配コイルを付勢するために上記勾配コイルに結合された勾配増幅器、
（ｄ）上記イメージング容積に接近できるようにするＲＦコイルであって、付勢されたとき上記患者にＲＦ（無線周波）放射を送り込むことにより上記患者の所望の領域内の核スピンを章動させるためのＲＦコイル、
（ｅ）上記ＲＦコイルを付勢するために上記ＲＦコイルに結合されたＲＦ送信器、
（ｉ）上記患者の所望のイメージング平面内の核スピンから複数のＭＲ応答信号を受けるための受信器、
（ｊ）上記受信機に接続し、受信した上記ＭＲ応答信号から画像信号を得る再構成ユニット、および
（ｋ）上記再構成ユニットに接続し、上記画像信号から画像を表示するための表示手段を含むことを特徴とする開放形磁気共鳴イメージングシステム。」である点で一致し、次の相違点（ア）〜相違点（ウ）で相違している。
・相違点（ア）
　本願発明ではＲＦコイルが「開放形ＲＦコイル」であるのに対して、上記引用刊行物Ａには「ＲＦコイル２２」が開放形ＲＦコイルであるとは記載されていない点。
・相違点（イ）
　本願発明では、開放形磁気共鳴イメージングシステムに、
（ｆ）上記医師の操作に応答して、画像を取得すべき上記所望の領域内のイメージング平面の方向と位置を指定する指示装置、
（ｇ）所定のシーケンスで上記勾配増幅器および上記ＲＦ送信器を付勢し、イメージング平面の核スピンからＭＲ応答信号を放出させるために上記勾配増幅器および上記ＲＦ送信器に結合されたパルスシーケンサ、
（ｈ）上記指示装置及び、上記パルスシーケンサに結合された汎用コンピュータであって、上記パルスシーケンサに命じて必要な上記勾配増幅器および上記ＲＦ送信器を、上記指示装置が規定する位置および方向の上記イメージング平面が実現するタイミングで作動させる汎用コンピュータ、
　を含むのに対して、引用発明はそのような構成を備えていない点。
・相違点（ウ）
　本願発明は「再構成ユニット」が、上記受信機に接続し、受信した上記ＭＲ応答信号から画像信号を「演算する」のに対して、引用発明はそのような構成を備えていない点。
　　　　　
（４ａ−２）当審の判断 
　そこで、上記相違点（ア）〜相違点（ウ）について判断する。
・相違点（ア）について
　上記引用刊行物Ａには「ＲＦコイル２２」が開放形ＲＦコイルであると記載されていないが、上記　第４（４ａ−１）（v）に記載したように、引用発明の「ＲＦコイル」は、オペレータ、出席者、医師３２の少なくとも一人が開放アクセス構造の弱磁場永久磁石１４に近づいて開放アクセス構造の弱磁場永久磁石アセンブリ１４内の患者に処置をできるように弱磁場永久磁石アセンブリ１４内に配置されるされとともに、弱磁場永久磁石アセンブリ１４内の患者が弱磁場永久磁石アセンブリ１４外のディスプレイ３０を見ることが可能とするものであるから、引用発明の「ＲＦコイル」を開放形のＲＦコイルとする必要性があることは明らかであり、さらに、磁気共鳴撮像装置において開放形のＲＦコイルを用いることも周知（例えば、特開昭６３−１５３０５５号公報［第２図の高周波コイル１］、特開平４−７３０４８号公報［第２図の送受信コイル２２］参照）であるから、引用発明の「ＲＦコイル２２」を開放形ＲＦコイルすることは当業者が当然なし得るべき設計的事項にすぎないものである。
・相違点（イ）について
　上記引用刊行物Ｂには、上記　第３に記載したように、磁気共鳴映像装置が、操作者が操作することにより、映像化しようとするスライス面と領域を決定するための位置や角度を入力するためのトラックボール２１，２２、スライダ２３〜２５を有するコンソール１３と、静磁場磁石１を駆動する励磁用電源２、受信部８、データ収集部１０及びデータ処理部を制御するとともに、被検体５内のスライス面内の磁化を選択的に励起して受信コイルから磁気共鳴エコー信号を受信するために、パルスシーケンスで勾配コイル用電源（駆動回路）４と送信部７とを制御し、プローブ６、勾配磁場コイル３からパルスをシーケンスで出力させるシステムコントローラ９と、コンソール１３の制御によって動作が制御されるとともに、コンソール１３で決定された映像化しようとするスライス面内から磁気共鳴エコー信号を受信するために、システムコントローラ９にパルスシーケンスで勾配コイル用電源（駆動回路）４と送信部７とを制御させる電子計算機１２を含む発明が記載されており、この引用刊行物Ｂに記載された発明の「システムコントローラ９」は、被検体５内のスライス面内の磁化を選択的に励起して受信コイルから磁気共鳴エコー信号を受信するために、パルスシーケンスで勾配コイル用電源（駆動回路）４と送信部７とを制御し、プローブ６、勾配磁場コイル３からパルスをシーケンスで出力させる構成を含むものであるから、本願発明の「パルスシーケンサ」に相当する構成を含み、さらに引用刊行物Ｂに記載された発明の「電子計算機１２」が本願発明の「汎用コンピュータ」に相当することは明らかである。
　そして、引用発明の磁気共鳴画像化システムも、引用刊行物Ｂに記載された発明の磁気共鳴映像装置もともに磁気共鳴装置で共通し、さらに引用発明の磁気共鳴画像化システムも患者のスライス面と領域を決定し、決定したスライス面と領域からのデータを得るようにＭＲＩ制御システム２４が傾斜磁場駆動アンプ、傾斜磁場コイル、ＲＦコイルを制御する必要があることが明らかであるから、引用発明の磁気共鳴画像化システムおいても、
（ｆ’）医師などのオペレータが操作するコンソールを、映像化しようとするスライス面と領域を決定するための位置や角度を入力できるコンソールとし、
（ｇ’）傾斜磁場コイル、ＲＦコイル２２と結合するＭＲＩ制御システム２４が、患者内のスライス面内の磁化を選択的に励起して受信コイルから磁気共鳴エコー信号を受信するために、パルスシーケンスで傾斜磁場駆動アンプと送信部を制御し、傾斜磁場コイル、ＲＦコイル２２からパルスをシーケンスで出力させるようにし、
（ｈ’）さらに、コンソール及びＭＲＩ制御システム２４を電子計算機と接続し、電子計算機はＭＲＩ制御システム２４を制御し、ＭＲＩ制御システム２４が、患者内のスライス面内の磁化を選択的に励起して受信コイルから磁気共鳴エコー信号を受信するために、パルスシーケンスで傾斜磁場駆動アンプと送信部を制御すること、すなわち、引用発明の磁気共鳴画像化システムが、
（ｆ）上記医師の操作に応答して、画像を取得すべき上記所望の領域内のイメージング平面の方向と位置を指定する指示装置、
（ｇ）所定のシーケンスで上記勾配増幅器および上記ＲＦ送信器を付勢し、イメージング平面の核スピンからＭＲ応答信号を放出させるために上記勾配増幅器および上記ＲＦ送信器に結合されたパルスシーケンサ、
（ｈ）上記指示装置及び、上記パルスシーケンサに結合された汎用コンピュータであって、上記パルスシーケンサに命じて必要な上記勾配増幅器および上記ＲＦ送信器を、上記指示装置が規定する位置および方向の上記イメージング平面が実現するタイミングで作動させるコンピュータ、
　を含むことは当業者が容易になし得るものである。
・相違点（ウ）について、
　上記引用刊行物Ｂには、上記　第３に記載したように、磁気共鳴映像装置において、受信部８からの磁気共鳴エコー信号をデータ収集部１０で収集し、収集された磁気共鳴エコー信号をフーリエ変換されるデータ処理部１１を有する発明が記載されており、引用発明の磁気共鳴画像化システムも上記引用刊行物Ｂに記載された発明の磁気共鳴映像装置もともに磁気共鳴装置で共通することから、引用発明の「再構成バッファ」においても組み込まれるデータをフーリエ変換による画像再構成処理を施して画像データを得ること、すなわち「再構成ユニット」が、上記受信機に接続し、受信した上記ＭＲ応答信号から画像信号を「演算する」ように構成することは当業者であれば容易になし得るものである。
　そして、本願発明によってもたらされる効果は、上記引用発明、上記引用刊行物Ｂに記載された発明及び周知の技術事項から予測される範囲内のものであって、格別のものではない。 
　したがって、本願発明は、引用発明、上記引用刊行物Ｂに記載された発明及び周知の技術事項に基づいて当業者が容易に発明をすることができたものである。
　　　　
　なお、請求人は審判請求の理由で、
「具体的には、本願の開放形磁気共鳴イメージングシステムは、「（ｆ）上記医師の操作に応答して、画像を取得すべき上記所望の領域内のイメージング平面の方向と位置を指定する指示装置」を含んでおり、また、構成要素「（ｈ）汎用コンピュータ」は、必要な勾配増幅器およびＲＦ送信器を、この指示装置が規定する位置および方向の上記イメージング平面が実現するタイミングで作動させるように、パルスシーケンサを制御します。さらに、構成要素（ａ）−（ｄ）で記述されておりますように、本願の開放形磁気共鳴イメージングシステムの主磁石やコイルは、医師が接近できるイメージング容積を提供しております。これらの本願発明の特徴の組み合わせにより、イメージング容積に医師が接近することを可能にし、また、イメージング容積に近接した医師が、この近接を行っている最中に指示装置を操作して、画像を取得すべき所望の領域内のイメージング平面の方向と位置を指定し、所望の領域を正しく指定して表示させることを可能にします。
　これに対し、引用文献１乃至３のいずれも、本願発明の指示装置を開示しておりません。構成要素（ｆ）の「上記医師」は「イメージング容積に近接した医師」を意味しますが、例えば、引用文献１においては、医師がイメージング容積に近接することができる磁気共鳴イメージングシステムが開示されており、医師は液晶ディスプレイを見ることができますが、医師は画像を取得すべき上記所望の領域内のイメージング平面の方向と位置を指定することはできません。
　引用文献２は、測定する平面の方向と位置を対話的に入力可能な入力手段を備える磁気共鳴影像システムを開示します。しかし、引用文献２の入力手段は、イメージング容積から離れた場所に設置されるコンソールに配置されており、本願発明の指示装置とは異なり、イメージング容積に近接した医師は操作することができません。・・・
　このように引用文献１乃至３のいずれも、イメージング容積に近接した医師が、画像を取得すべき所望の領域内のイメージング平面の方向と位置を指定できる指示装置を開示していないので、引用文献１乃至３を組み合わせたとしても、本願発明の構成要素を備えた発明は成立しません。」旨の主張している。
　しかしながら、上記　第２のように本件出願の請求項１には、
「（ａ）主磁石の外側の医師が接近できるイメージング容積を有し、該イメージング容積の中に配置されたイメージングしたい上記患者の所望の領域に静磁界を作成するための開放形主磁石」、及び「（ｆ）上記医師の操作に応答して、画像を取得すべき上記所望の領域内のイメージング平面の方向と位置を指定する指示装置、」と記載されており、この記載によれば「（ｆ）上記医者」は「主磁石の外側に接近できる医者」を特定しているに過ぎず、イメージング容積に接近した医師が、この接近を行っている最中に指示装置を操作するとは記載されていないから、「これらの本願発明の特徴の組み合わせにより、イメージング容積に医師が接近することを可能にし、また、イメージング容積に近接した医師が、この近接を行っている最中に指示装置を操作して、画像を取得すべき所望の領域内のイメージング平面の方向と位置を指定し、所望の領域を正しく指定して表示させることを可能にします。」との請求人の主張は採用できないものである。
　もし仮に、上記「（ｆ）上記医師の操作」が、請求人の主張する「イメージング容積に近接した医師」であり、「この近接を行っている最中に指示装置を操作する」ことを意味したとしても、磁気共鳴装置において、磁気共鳴装置に接近した状態で医師、技師あるいはオペレータ等が磁気共鳴装置を操作できる操作部を設けることは周知（例えば、特開昭６３−１３９５３７号公報［第１図の磁石部パネル１２］、特開平２−２３９４２号公報［第２図のツマミ６１Ａ〜６１Ｃ、７１Ａ〜７１Ｃ、寝台操作パネル８］、特開平２−６３４３２号公報［第３図のタッチスクリーン８］、特開平４−３１９３３６号公報［段落番号【００１８】の記載、図１の操作パネル２１］参照）であり、さらに上記引用刊行物Ａの（Ａ−２）には、弱磁場ＭＲシステムが配置されるガントリー室にコンソールを配置することが記載されていることを考慮すれば、引用発明の「引用発明の磁気共鳴画像化システム」おいても必要に応じて、医師などのオペレータが開放アクセス構造の弱磁場永久磁石アセンブリ１４内の患者に近づいた状態で上記引用刊行物Ｂに記載された発明のコンソールを操作することも当業者が必要に応じて適宜採用する程度のことに過ぎないものである。
　　　　　　　　　　　
第５　むすび 
　以上のとおりであるから、本願発明は、特許法第２９条第２項の規定により特許を受けることができないものであり、その余の請求項に係る発明について検討するまでもなく、本願は、拒絶をすべきものである。 
　よって、結論のとおり審決する。